(57)【要約】      （修正有）【課題】ドラムを支持具にセットする手間が不要となり、かつ敷設作業中に転倒のおそれが生じにくいケーブルドラムユニットを提供する。【解決手段】多角形状であり、中心部に設けた開口７内に軸受部９を備え、且つ内面同士を対向させて離間配置された２つのドラム固定台３ａ、３ｂと、ドラム固定台間に配置されて各開口内に嵌合配置されることにより、軸受部によって回転自在に軸支されたケーブルドラム２１と、を備え、ケーブルドラムは、円筒状に配置された複数本の棒状体２３、及び該各棒状体の軸方向両端部、または両端部近傍に夫々固定された大径のフランジ２５ａ、２５ｂ、各棒状体の外周面に夫々円環状に固定されて各軸受部と摺接する被軸受環状体２７ａ、２７ｂを有し、ドラム固定台の各軸受部によって各被軸受環状体を支持した状態で、各フランジは各ドラム固定台よりも軸方向外側または内側、もしくは両側に位置している。【選択図】図１
2015044661.tif 000002
【特許請求の範囲】
【請求項１】
軸受部を有した開口を備え、且つ内面同士を対向させて離間配置された２つのドラム固定台と、
前記２つのドラム固定台間に配置されて前記各開口内に嵌合配置されることにより、前記軸受部によって回転自在に軸支されたケーブルドラムと、を備えたケーブルドラムユニットであって、
前記ケーブルドラムは、所定の周方向間隔を隔てて円筒状に配置された複数本の棒状体、及び該各棒状体の軸方向両端部、または両端部近傍に夫々固定されたフランジ、前記各フランジよりも軸方向内側の前記各棒状体の外周面に夫々固定されて前記各軸受部と摺接する被軸受環状体を有し、
前記２つのドラム固定台の各軸受部によって前記ドラムの各被軸受環状体を軸支した状態で、前記各フランジは前記各ドラム固定台よりも軸方向外側または内側、もしくは両側に位置していることを特徴とするケーブルドラムユニット。
【請求項２】
前記ドラム固定台の外形形状は多角形であり、且つ格子状に構成されていることを特徴とする請求項１記載のケーブルドラムユニット。
【請求項３】
前記ドラム固定台の外形形状は三角形、又は四角形であることを特徴とする請求項１記載のケーブルドラムユニット。
【請求項４】
前記軸受部は、前記フランジと接触するガイドを備え、該ガイドは前記フランジに対する摩擦係数が低い材料で構成されていることを特徴とする請求項１乃至３の何れか一項記載のケーブルドラムユニット。
【発明の詳細な説明】
【技術分野】
【０００１】
本発明は、電線やケーブル類を巻き回して保持すると共に、電線類を敷設する現場に設置されて使用されるケーブルドラムユニットに関する。
【背景技術】
【０００２】
発変電所構内などにおいて、電線の張替えや制御ケーブルの敷設を行う際には、電線やケーブルが巻き回されたドラムを専用のドラム支持具に設置して、ドラムを回転可能な状態とし、この状態で電線やケーブルをドラムから引き出すのが一般的である。この際、電線やケーブルを引っ張り出す力が強いと、ドラム及びその支持具が転倒し、作業員が負傷したり、周囲の機器を破損させるという問題があった。
【０００３】
この問題点を解決するため、特許文献１ではドラムを支える支持柱と支持柱を固定するキャスター付き支持台からなる運搬具を備え、少人数であっても効率的にドラムの移動、ケーブル敷設を行う簡易ドラム運搬具が開示されている。
また、特許文献２にはケーブルの延線作業や、ケーブルのドラムへの巻き取り作業を一人で安全且つ容易に行うことができるケーブル巻取りドラム支持架台及びケーブルドラム鍔用騒音防止カバーが開示されている。
さらに、特許文献３には、ケーブルドラムを使い捨てする場合の取り扱い及び処分の容易化を図ることができるものが開示され、特許文献４には、ケーブルヘッドを支持する架台としての機能をケーブルドラムに持たせたものが開示されている。
【先行技術文献】
【特許文献】
【０００４】
【特許文献１】実用新案登録第３１４３１２８号
【特許文献２】特開２００３−１２８３４８公報
【特許文献３】特開平１１−１８０６４８号公報
【特許文献４】特開２０１１−２３０８８９公報
【発明の概要】
【発明が解決しようとする課題】
【０００５】
しかしながら、特許文献１、２、３の従来技術においては、電線やケーブル等が巻き回されたケーブルドラムの回転軸部分に金属製棒状部材を挿入し、ケーブルドラムを持ち上げた状態で使用する必要があるため、作業を行うにあたっては、重量物であるドラムを支持具にセットしなければならず、作業性が悪いという課題がある。
また、特許文献１、２、４に開示された従来技術では、ドラム支持架台の脚によりドラム回転軸を支持しているので、ドラム支持架台が設置される場所は常に平坦面である必要があり、例えば、砕石等を敷き詰めたバラス敷の環境ではドラム支持架台が不安定になり易く転倒のおそれが高いという課題がある。
本発明は上記に鑑みてなされたものであり、ドラムを支持具にセットする手間が不要となり、かつ敷設作業中に転倒のおそれが生じにくいケーブルドラムユニットを提供することを目的とする。
【課題を解決するための手段】
【０００６】
上記課題を解決するため、請求項１の発明にかかるケーブルドラムユニットは、内部に軸受部を有した開口を備え、且つ内面同士を対向させて離間配置された２つのドラム固定台と、前記２つのドラム固定台間に配置されて前記各開口内に嵌合配置されることにより、前記各軸受部によって回転自在に軸支されたケーブルドラムと、を備えたケーブルドラムユニットであって、前記ケーブルドラムは、所定の周方向間隔を隔てて円筒状に配置された複数本の棒状体、及び該各棒状体の軸方向両端部、または両端部近傍に夫々固定された大径のフランジ、前記各フランジよりも軸方向内側の前記各棒状体の外周面に夫々円環状に固定されて前記各軸受部と摺接する被軸受環状体を有し、前記２つのドラム固定台の各軸受部によって前記ドラムの各被軸受環状体を軸支した状態で、前記各フランジは前記各ドラム固定台よりも軸方向外側に位置していることを特徴とする。
【０００７】
請求項２の発明にかかるケーブルドラムユニットは、前記ドラム固定台の外形形状は多角形であり、且つ格子状に構成されていることを特徴とする。
請求項３の発明にかかるケーブルドラムユニットは、前記ドラム固定台の外形形状は三角形、又は四角形であることを特徴とする。
請求項４の発明にかかるケーブルドラムユニットは、前記軸受部は、前記フランジと接触するガイドを備え、該ガイドは前記フランジに対する摩擦係数が低い材料で構成されていることを特徴とする。
【発明の効果】
【０００８】
この発明によれば、電線やケーブルを引き出すためにドラムを載置するドラム支持具が不要となり、作業を効率化することができると共に、ドラムの外枠形状が多角形で、設置面が平坦面となって安定する為に、バラス敷きなど、少々の凹凸がある環境で使用しても転倒のおそれがなく、災害防止に寄与することができる。
さらに、ドラムは鉄鋼材を利用可能なので、軽量化することもでき、木材を使用した従来のドラムに比較して腐食等が少なく、かつ再利用が可能であり低コストに実現することができる。
【図面の簡単な説明】
【０００９】
【図１】（ａ）はケーブルドラムユニットの構成を示す側面図、（ｂ）はケーブルドラムユニットの一部を示した正面図、（ｃ）はケーブルドラムの側面図、（ｄ）はドラム固定台の正面図。
【図２】（ａ）、（ｂ）、及び（ｃ）はドラム固定台に取り付けられる軸受部の正面図、側面図及び平面図。
【図３】（ａ）、（ｂ）、（ｃ）、及び（ｄ）はケーブルドラムユニットの組み立て手順を説明するための図。
【図４】（ａ）及び（ｂ）は本発明に係るケーブルドラムユニットの軸受部、被軸受環状体、フランジの構造を示す図。
【図５】本発明に係るケーブルドラムユニットに電線もしくは制御ケーブルを巻き回した状態を示す図。
【図６】（ａ）、（ｂ）、及び（ｃ）は本発明に係るケーブルドラムユニットの他の実施の形態を示す説明図。
【図７】（ａ）、（ｂ）、及び（ｃ）は本発明に係るケーブルドラムユニットの他の実施の形態を示す説明図。
【図８】（ａ）、（ｂ）、及び（ｃ）は本発明に係るケーブルドラムユニットの他の実施の形態を示す図。
【図９】本発明に係るケーブルドラムユニットのドラム固定台の他の実施の形態を示す図。
【図１０】（ａ）、（ｂ）、及び（ｃ）は他の形状の棒状体２３により構成したケーブルドラムを示した説明図。
【発明を実施するための形態】
【００１０】
以下、本発明を図面に示した実施の形態により詳細に説明する。
図１（ａ）及び（ｂ）は本発明の一実施形態に係るケーブルドラムユニットの構成を示す側面図、及び同構成の一部を表示した正面図であり、（ｃ）及び（ｄ）はケーブルドラムユニットを構成するケーブルドラムの側面図、及びドラム固定台の正面図である。また、図２（ａ）、（ｂ）、及び（ｃ）はドラム固定台に取り付けられる軸受部の正面図、側面図、及び平面図である。さらに図３（ａ）、（ｂ）、（ｃ）、及び（ｄ）はケーブルドラムユニットの組み立て手順を説明するための図である。
【００１１】
ケーブルドラムユニット１は左右に離間して配置された２つのドラム固定台３ａ、３ｂと、ケーブルドラム２１と、を備えており、ドラム固定台３ａ、３ｂは正面から見て多角形、本例では四角形の格子状の枠体５と、枠体５の中心部に設けた開口７に固定された軸受部９と、を有する。枠体５は四角い外枠と、外枠の内部で縦横に交差した棒材から成る補強材１１により構成されている。
【００１２】
ケーブルドラム２１は、円筒を描くように周方向に所定のピッチで、且つ並行（平行）に離間配置された複数の棒状体２３と、複数の棒状体２３からなる円筒体の軸方向両端部寄りに夫々配置されたフランジ２５ａ、２５ｂと、各フランジよりも軸方向内側の棒状体群の外周面に配置された被軸受環状体２７ａ、２７ｂと、一方のフランジ２５ａの中心部に取り付けられた操作ハンドル２９と、を備える。各棒状体２３は、各フランジ２５ａ、２５ｂに円周状に配置された支持穴２６内に差し込まれることによって、各フランジ部に固定される。
即ち、複数の棒状体２３は、円盤状のフランジ２５ａ、２５ｂの周方向に所定の間隔を隔てて円形に配置することで左右のフランジ２５ａと２５ｂとの間で円筒状の構造物を形成している。また、棒状体２３の外周面であって、左右のフランジ２５ａ、２５ｂよりも夫々棒状体２３の軸方向内側の部分には円環状の被軸受環状体２７ａ、２７ｂが設けられている。操作ハンドル２９はフランジ２５ａの外側面に取り付けられ、ケーブルドラム２１を回転させるために用いられる。
【００１３】
フランジ２５ａ、２５ｂの外径寸法は枠体５の外径寸法よりも小さく、かつ開口７の開口径より大径に形成することで、ケーブルドラム２１がドラム固定台３ａ、３ｂから抜け落ちず、またドラム固定台３ａ、３ｂ間でケーブルドラム２１が回転可能な構成となっている。なお、実施の形態ではフランジ２５ａ、２５ｂを棒状体２３の軸方向端部近傍に配置しているが、棒状体２３の軸方向外側の各端部がフランジ２５ａ、２５ｂから突出しないよう構成することもできる。
【００１４】
図２に示すように、軸受部９は、被軸受環状体２７ａ、２７ｂと接触して回転するローラ１３と、ローラ１３を回転自在に軸支するローラ用軸１５と、ローラ用軸１５を固定すると共にローラ１３の一部を覆うハウジング１７と、ハウジング１７の正面に取り付けられ、ケーブルドラム２１のフランジ２５ａ、２５ｂの一側面と接触するガイド１９とを有し、軸受部９は開口部７の中心部からボルト２０等で補強材１１に固定されている。各軸受部９は円形を描くように配置されており、ローラ１３が被軸受環状体２７ａ、２７ｂの外周面に均一な力で接触するように構成されている。
このような軸受部９を開口部７に複数（本実施の形態では８個）設けることで、ケーブルドラム２１の被軸受環状体２７ａ、２７ｂは軸受部９のローラ１３によりその外周面が精度良く支持され、ケーブルドラム２１は操作ハンドル２９の回転により回動可能となっている。
【００１５】
ケーブルドラム２１は図３（ａ）、（ｂ）に示したように、棒状体２３群からなる円筒体の端部に一方のフランジ２５ｂを取り付けた状態で、フランジ２５ａが固定されていない側の棒状体２３の端部をドラム固定台３ｂの中心部開口７内に差込む。次いで、ドラム固定台３ｂを、ドラム固定台３ｂに設けられた各軸受部９のローラ１３がケーブルドラム２１の右側の被軸受環状体２７ｂと対面する位置まで移動させ、更に軸受部９のガイド１９ｂが右側のフランジ２５ｂの内側面に当接する状態となるようにする。その後、図３（ｃ）に示すように他方のドラム固定台３ａの中心部に設けた開口７内に棒状体群の一端を差し込み、ドラム固定台３ａに設けた軸受部９のローラ１３がケーブルドラム２１の被軸受環状体２７ａに摺接する位置までドラム固定台３ａを挿入する。さらにその後、（ｄ）に示すようにフランジ２５ａに設けた支持穴２６内に各棒状体の他端部を差し込んで、フランジ２５ａの内側面がガイド１９ａに当接もしくは多少の隙間を有して近接した状態で固定し、ケーブルドラムユニットの組付けを完了する。
【００１６】
本発明に係るケーブルドラムユニット１を構成する各部材として鉄鋼材を利用すれば、強度を高めるばかりでなく、従来の木材を利用したケーブルドラムと比較してもさほど重量化するわけではない。むしろ、ドラム固定台を格子状にしたり、ドラムを棒状体から構成すれば、軽量化を図ることができる。また、何度でも再利用が可能である。
なお、軸受部９に用いられるガイド１９は、フランジを鉄鋼材から構成した場合には鉄鋼材との摩擦係数が少ない炭素系材料や樹脂系材料を利用する。さらに、ローラ１３及び被軸受環状体２７ａ、２７ｂも互いに接触しながら摺動するので、ローラ１３及び被軸受環状体２７ａ、２７ｂの両方もしくは一方を摩擦係数が少ない部材で構成する。
【００１７】
図４（ａ）、（ｂ）は軸受部９のローラ１３と被軸受環状体２７ａ、２７ｂとの関係を示す図である。軸受部９のローラ１３は、その外周面がケーブルドラム２１に設けられた被軸受環状体２７ａ、２７ｂ（図示は２７ｂ）の外周面と当接すると共に、ガイド１９ｂはフランジ２５ｂの内側面と近接もしくは接触した状態となっている。なお、（ｂ）においては同心円状に取り付けられた軸受部９のうち、最上部の軸受部９のみを図示し、その他の軸受部９の図示は省略している。
このように、軸受部９は回転自在なローラ１３によりケーブルドラム２１の被軸受環状体２７ａ、２７ｂを軸支すると共に、ローラ１３の外周面が被軸受環状体２７の外周面と摺動するよう取り付けられている。また、各ドラム固定台３ａ、３ｂにより支持された軸受部９のガイド１９ａ、１９ｂは、フランジ２５ａ、２５ｂの一側面と摺接するので、各ドラム固定台３ａ、３ｂにより、ケーブルドラム２１（棒状体２３、フランジ２５ａ、２５ｂ、及び被軸受環状体２７ａ、２７ｂ）を回転自在に安定して支持することができる。
【００１８】
図５は本発明に係るケーブルドラム２１に電線もしくは制御ケーブル３１を巻き回した状態を示す図であり、電線もしくは制御ケーブル３１は円筒状のケーブルドラム２１上に巻かれた状態で敷設箇所に設置される。この際、ケーブルドラムユニット１のドラム固定台３ａ、３ｂは正面形状が四角形であり、その底部（設置面）が平坦なので、作業員による電線やケーブルを引っ張り出す力が強くてもケーブルドラムユニット１が転倒するおそれが低い。またドラム固定台３ａ、３ｂはその底部と地面との接触面積が広いため、砕石等を敷き詰めたバラス敷の環境下で使用しても、安定してケーブルドラムユニット１を設置することができ、作業員が電線やケーブルを引っ張り出す力が強い場合であってもケーブルドラムユニット１が転倒するおそれは低い。
【００１９】
図６（ａ）、（ｂ）、（ｃ）は本発明に係るケーブルドラムユニット１の他の実施の形態を示す図であり、棒状体２３に取り付けるフランジ２５ａ、２５ｂをドラム固定台３ａ、３ｂよりも棒状体２３の軸方向内側とすると共に、各フランジ２５ａ、２５ｂの外面にドラム固定台３ａ、３ｂに取り付けられた軸受部９のガイド１９が当接するよう配置した構造が第1の実施の形態のケーブルドラムユニットと異なっている。
このようにフランジ２５ａ、２５ｂをドラム固定台３ａ、３ｂの内側に配置することで、電線やケーブルを巻き回した際に、電線やケーブル３１がドラム固定台３ａ、３ｂと接触せず、接触の抵抗によるケーブルドラム２１の回転不良が発生しにくくなるという効果を発揮する。
【００２０】
図７（ａ）、（ｂ）、（ｃ）は本発明に係るケーブルドラムユニット１の他の実施の形態を示す図であり、（ａ）はケーブルドラムユニット１の側面図、（ｂ）はケーブルドラム２１の側面図、（ｃ）はケーブルドラムユニット１に電線またはケーブル３１を巻き回した状態を示す側面図である。
この実施形態では図１に示した実施形態と同様に左右のフランジ２５ａ、２５ｂをドラム固定台３ａ、３ｂより棒状体２３の軸方向外側として、該フランジ２５ａ、２５ｂの内面にドラム固定台３ａ、３ｂに取り付けられた軸受部９のガイド１９が当接するよう配置している。また、補助のフランジ２５ｃ、２５ｄをケーブルドラム２１上であって、ドラム固定台３ａ、３ｂ間かつ該ドラム固定台３ａ、３ｂに接触しない位置に設けることで電線やケーブル３１を巻き回した際に、電線やケーブル３１がドラム固定台３ａ、３ｂと接触せず、接触の抵抗によるケーブルドラム２１の回転不良が発生しにくくなるという効果を発揮する。また、フランジ２５ａ、２５ｂがドラム固定台３ａ、３ｂの外側に設けられているため、操作ハンドル２９の操作に加え、フランジ２５ａ、２５ｂを作業員が手で回転させることで、電線やケーブル３１の巻き取りを行うことも可能となる。
【００２１】
図８（ａ）、（ｂ）、（ｃ）は本発明に係るケーブルドラムユニット１の他の実施の形態を示す図であり、（ａ）はドラム固定台３ａ、３ｂの正面図、（ｂ）はケーブルドラムユニット１の正面図、（ｃ）はケーブルドラムユニット１の側面図である。
この実施の形態ではドラム固定台３ａ、３ｂの枠体５の外形を三角形状とし、底辺を長くしたことで、先の実施例と比較してその底部と地面との接触面積が広がり、砕石等を敷き詰めたバラス敷の環境下で使用しても、より安定性が高まり、作業員が電線やケーブルを引っ張り出す力が強い場合であってもケーブルドラムユニット１が転倒するおそれは低い。
【００２２】
なおドラム固定台３ａ、３ｂの枠体５の外形形状は三角形、四角形をはじめ多角形であれば良く、好ましくは三角形もしくは四角形である。ただし、地面と接触する底辺の長さ、すなわち、地面との接触面積が所定以上得られ、且つ電線やケーブルの敷設作業時にドラム固定台３ａ、３ｂの転倒のおそれが低くできる形状であれば、それ以外の部位（全体形状）はどのような形状であってもよい。たとえば、図９に示した五角形とする等、三角形、四角形以外の形状を用いても良い。また、この実施の形態では８個の軸受部９をドラム固定台３ａ、３ｂの夫々に取り付けた例をあげて説明したが、これに限定するものではなく、ケーブルドラム２１を回転可能な状態で軸支できるものであれば良い。
【００２３】
更に、棒状体２３をその断面が円形のものを用いて説明したが、断面が略矩形のものを用いても良い。たとえば、図１０（ａ）、（ｂ）、（ｃ）は他の形状の棒状体２３により構成したケーブルドラム２１を示した図であり、棒状体２３のＡ−Ａにおける断面は（ｂ）に示すように円筒形状の周に沿って配置された板状であり、各板の間には隙間が生じないよう形成され、棒状体２３のＢ−Ｂにおける断面は（ｃ）に示すような断面が円形の部材としている。断面が略矩形の個々の棒状体は、外周面が円弧状であり、全ての棒状体を円周状に配置することにより、連続した外周面が円筒体を構成する。
このように棒状体２３の一部を円周に亙って連続した部材とすることで、被軸受環状体２７ａ、２７ｂを用いることなく、棒状体２３の一部で軸受部９のローラ１３と摺動するよう構成することができる。
【００２４】
以上のように本発明によれば、ケーブルドラムとドラム固定台が連結された組み付け構造となるため、電線やケーブルを引き出すためにドラムを載置するドラム支持具が不要となり、作業を効率化することができると共に、ドラムの外枠形状が多角形であるためにバラス敷きなど、少々の凹凸がある環境で使用しても転倒のおそれがなく、災害防止に寄与することができる。
さらに、ドラムは鉄鋼材を利用可能なので、軽量化することもでき、木材を使用した従来のドラムに比較して腐食等が少なく、かつ再利用が可能であり低コストに実現することができる。
なお、各格子要素の使用材料に限定はなく、木材、樹脂を使用してもよい。
【００２５】
＜本発明の構成、作用、効果のまとめ＞
第１の本発明に係るケーブルドラムユニットは、軸受部９を有した開口７を備え、且つ内面同士を対向させて離間配置された２つのドラム固定台３ａ、３ｂと、２つのドラム固定台間に配置されて各開口内に嵌合配置されることにより、軸受部によって回転自在に軸支されたケーブルドラム２１と、を備え、ケーブルドラムは、所定の周方向間隔を隔てて円筒状に配置された複数本の棒状体２３、及び該各棒状体の軸方向両端部、または両端部近傍に夫々固定されたフランジ２５ａ、２５ｂ、各フランジよりも軸方向内側の前記各棒状体の外周面に夫々固定されて各軸受部と摺接する被軸受環状体２７ａ、２７ｂを有し、２つのドラム固定台の各軸受部によって前記ドラムの各被軸受環状体を軸支した状態で、各フランジは前記各ドラム固定台よりも軸方向外側または内側、もしくは両側に位置していることを特徴とする。
固定側のドラム固定台に対してケーブルドラムが回転自在に組み付けられた構成であるため、工場でドラムの巻き付けを完了したケーブルドラムユニットとして出荷、運搬することができ、現場において組立を行う手間を省くことができる。
ドラム固定台の底面を平坦面とすることにより、どのような設置場所であっても安定して設置し、転倒を防止することができる。
【００２６】
請求項２の発明にかかるケーブルドラムユニットは、ドラム固定台の外形形状は多角形であり、且つ格子状に構成されていることを特徴とする。
ドラム固定台を多角形状とすれば、その一辺を設置させることにより、設置安定性を高めることができる。ドラム固定台を格子状とすれば、軽量化を図ることができる。鉄鋼材料から構成すれば、腐食を防止できる。
請求項３の発明にかかるケーブルドラムユニットは、ドラム固定台の外形形状は三角形、又は四角形であることを特徴とする。
製造手数、取扱性を考慮すると、三角形、四角形が好ましいが、底面さえ平坦であれば、その他の部分の形状は種々選択することができる。
請求項４の発明にかかるケーブルドラムユニットは、軸受部は、フランジと接触するガイドを備え、該ガイドはフランジに対する摩擦係数が低い材料で構成されていることを特徴とする。
ガイドがフランジと摺接することにより、ケーブルドラムを安定して回転させることが可能となる。
【符号の説明】
【００２７】
１  ケーブルドラムユニット、３ａ、３ｂ  ドラム固定台、５  枠体、７  開口、９  軸受部、１１  補強材、１１  ケーブル、１３  ローラ、１５  ローラ用軸、１７  ハウジング、１９  ガイド、２１  ケーブルドラム、２３  棒状体、２５ａ〜２５ｄ  フランジ、２６  支持穴、２７ａ、２７ｂ  被軸受環状体、２９  操作ハンドル、３１  電線・ケーブル
【図１】
2015044661.tif 000003
【図２】
2015044661.tif 000004
【図３】
2015044661.tif 000005
【図４】
2015044661.tif 000006
【図５】
2015044661.tif 000007
【図６】
2015044661.tif 000008
【図７】
2015044661.tif 000009
【図８】
2015044661.tif 000010
【図９】
2015044661.tif 000011
【図１０】
2015044661.tif 000012